(57)【特許請求の範囲】
【請求項１】
両側板、天板及び底板とで形成された内部に単数の棚板を設け又は複数の棚板を上下多段に設けるとともに、棚板で区画された収納空間の前面に陳列扉を後傾状に配置可能且つ収納空間の上部に押し込み格納可能に設けてなる書架であって、前記棚板及び底板の上位の天板及び棚板の下面両側にブラケットを取付け、該ブラケットには垂直基板を有し、該垂直基板の下縁に沿った全長に後下がりの傾斜レールを折曲形成するとともに、該傾斜レールの前端部に当止部材を上設し、前記陳列扉の背面上部両側に前記傾斜レール上を転動するローラ又は摺動するスライダーを設けるとともに、前面下縁に書籍を受ける載支部を設けてなることを特徴とする書架。
【請求項２】
前記陳列扉を収納空間の上部に格納した際に、傾斜レールの後部に位置したローラと当止部材に前部を載置した陳列扉が略水平状態で保持されるように設定してなる請求項１記載の書架。
【請求項３】
前記ブラケットは、垂直基板の上縁に内側へ折曲した取付片を形成するとともに、下縁に沿って後下がりの傾斜レールを内側へ折曲形成し、該傾斜レールの後端直上にストッパー片を垂直基板の一部を切起して形成し、更に前記傾斜レールの前端部に当止部材を上設し、前記取付片を天板及び棚板の下面両側に着脱自在に取付けてなる請求項１又は２記載の書架。
【請求項４】
前記陳列扉の載支部より上位に、書籍を支持する支持部材を出没自在に設けてなる請求項１〜３何れかに記載の書架。
【発明の詳細な説明】
【０００１】
【発明の属する技術分野】
本発明は、雑誌等の書籍を陳列し収納することが可能な書架に係わり、更に詳しくは雑誌等の書籍を表表紙を前面に向けて陳列すること及び補充用又はバックナンバーの書籍を収納することが可能な書架に関する。
【０００２】
【従来の技術】
雑誌等の書籍を表表紙を前面に向けて陳列すること及び補充用又はバックナンバーの書籍を収納することが可能な書架は、各種提供されている。
【０００３】
例えば、実公平３−１６３８６号公報にて開示される如く、両側に立設した支柱の上端に天板を取付けるとともに、両支柱に取付けた棚受板に棚板を支持し、更に前記棚受板の下方へ延長した部分の下縁に水平なレールを形成するとともに、前記天板及び棚板の左右中間位置に下縁に水平なレールを形成した複数の吊支板を下設し、隣接する両レールに前扉の背面上部両側に設けたローラを転動可能に載支し、各レールの前端に設けたストッパーにローラを当止するとともに、前扉の背面下部を下段の棚板前面に当止し、もって前扉を後傾状に配置することができ、前記前扉をレールに沿って押し込んで前部下面をストパー上に載支し、水平状態で前扉を格納することができるキャビネットにおける収納式前扉の開閉装置が提供されている。
【０００４】
しかし、前述の公報記載のものは、前扉を押し込み格納した状態が水平であるので、地震などによる僅かの振動によって前扉が前方へ飛び出す恐れがある。更に、前扉を支持するレールを棚受板に形成しているため、前扉を設けないタイプのキャビネットにはレールが邪魔になり、あるいは棚受自体を交換しなければならず、態様の変更に対する自由度が低く、汎用性に乏しいものであった。
【０００５】
【発明が解決しようとする課題】
そこで、本発明が前述の状況に鑑み、解決しようとするところは、雑誌等の書籍を表表紙を前面に向けて陳列すること及び補充用又はバックナンバーの書籍を収納することが可能な書架において、陳列扉の押し込み格納状態が安定し、振動等による前方への飛び出しを防止し、更に態様の変更に対する自由度が高く、汎用性に優れた書架を提供する点にある。
【０００６】
【課題を解決するための手段】
本発明は、前述の課題解決のために、両側板、天板及び底板とで形成された内部に単数の棚板を設け又は複数の棚板を上下多段に設けるとともに、棚板で区画された収納空間の前面に陳列扉を後傾状に配置可能且つ収納空間の上部に押し込み格納可能に設けてなる書架であって、前記棚板及び底板の上位の天板及び棚板の下面両側にブラケットを取付け、該ブラケットには垂直基板を有し、該垂直基板の下縁に沿った全長に後下がりの傾斜レールを折曲形成するとともに、該傾斜レールの前端部に当止部材を上設し、前記陳列扉の背面上部両側に前記傾斜レール上を転動するローラ又は摺動するスライダーを設けるとともに、前面下縁に書籍を受ける載支部を設けてなる書架を構成した。
【０００７】
また、前記陳列扉を収納空間の上部に格納した際に、傾斜レールの後部に位置したローラと当止部材に前部を載置した陳列扉が略水平状態で保持されるように設定してなることが、格納に必要な空間が最小になるので好ましい。
【０００８】
更に、前記ブラケットは、垂直基板の上縁に内側へ折曲した取付片を形成するとともに、下縁に沿って後下がりの傾斜レールを内側へ折曲形成し、該傾斜レールの後端直上にストッパー片を垂直基板の一部を切起して形成し、更に前記傾斜レールの前端部に当止部材を上設し、前記取付片を天板及び棚板の下面両側に着脱自在に取付けてなることにより、態様の変更に対する自由度が高く、汎用性に優れたものとなる。
【０００９】
そして、前記陳列扉の載支部より上位に、書籍を支持する支持部材を出没自在に設けてなることにより、陳列扉の押し込み格納時に支持部材が邪魔にならず、格納に必要な空間が最小になるので好ましい。
【００１０】
【発明の実施の形態】
次に本発明の実施形態を添付図面に基づき詳細に説明する。図１〜図５は本発明の代表的な実施形態に係る書架を示し、図２〜図６は第１実施形態、図７は第２実施形態を示し、図中符号１は書架本体、１はフレーム、２は側板、３は天板、４は底板、５は棚板、６はブラケット、７は陳列扉をそれぞれ示している。
【００１１】
図示した書架は、金属性のフレーム１に木製の両側板２，２を取付けるとともに、上端に天板３、下端に底板４をそれぞれ取付け、両側版２，２、天板３及び底板４とで形成された内部に単数の棚板５を設け又は複数の棚板５，…を上下多段に設けるとともに、棚板５で区画された収納空間の前面に着脱自在なブラケット６，６にて陳列扉７を取付け、該陳列扉７を引き出して後傾状に配置可能且つ収納空間の上部に押し込み格納可能に設けてなるものである。
【００１２】
前記フレーム１は、図２に示すように、スチール製で形成され、角パイプ状の支柱８の下端に、片面収納タイプでは側面視略Ｌ字形、両面収納タイプでは側面視逆Ｔ字形となるように中空杆体からなるベース部材９を固定し、所定間隔を隔てて立設した両支柱８，８の上下端部間に横桟１０，１０を連結して構成したものである。また、前記支柱８の前面側には上下に所定間隔毎に係止孔１１，…を形成し、支柱８と横桟１０との連結には連結板１２を介して行っている。そして、前記側板２の内面側には、前記支柱８とベース部材９の略半分を受け入れる凹溝１３を形成し、該凹溝１３内に前記支柱８とベース部材９を嵌合した状態で、該支柱８の上端に嵌着した上部連結金具１４を側板２の上端面にネジ止めするとともに、ベース部材９に係止した下部連結金具１５を側板２の内面側にネジ止めして取付けている。更に、前記ベース部材９の前後端部には、アジャスター付きのキャップ１６，１６を装着している。尚、前記連結板１２を介在させることによって、支柱８と横桟１０とを直接連結する従来の場合と比較して支柱８と横桟１０との間に無理な応力がかからないようになり、また上部連結金具１４を用いることにより、前記凹溝１３を上方へ開放して形成することができるので、側板２の加工が容易になる。
【００１３】
また、前記天板３は、図５に示すように、天板取付板１７の後端に設けた下向きフック１８，…を前記支柱８の係止孔１１，…に嵌合係止した状態で、該天板取付板１７に側方からネジ止めして取付けている。また、図示しないが、前記底板４も天板３と同様な取付構造又は他の適宜な取付構造にて両側板２，２間に取付けている。そして、前記棚板５は、後端に設けたフック（図示せず）を前記各支柱８，８の係止孔１１，１１に嵌合係止した棚板取付板１９で左右両側を載支して、両側板２，２間に上下多段に取付けている。尚、前記棚板取付板１９は、側板２の内面側にネジ止め等の適宜な手段にて取付けても良い。
【００１４】
そして、前記ブラケット６は、天板用ブラケット６Ａと棚板用ブラケット６Ｂとで若干形状が異なるが、基本構造は全く同じである。先ず、天板用ブラケット６Ａは、図３に示すように、垂直基板２０の上縁に内側へ折曲した取付片２１を形成するとともに、下縁に沿って後下がりの傾斜レール２２を内側へ折曲形成し、該傾斜レール２２の後端直上にストッパー片２３を垂直基板２０の一部を切起して形成し、更に前記傾斜レール２２の前端部に当止部材２４を上設したものである。即ち、前記傾斜レール２２は、垂直基板２０の下縁の全長に形成されている。
【００１５】
更に詳しくは、前記天板用ブラケット６Ａの垂直基板２０は側面視略台形状であり、前記取付片２１には、取付孔２５，２５を形成し、ネジ２６にて天板３の下面へ着脱自在に取付けるようにしている。尚、当該天板用ブラケット６Ａの天板３への取付構造は、着脱自在であれば他の構造も採用できる。
【００１６】
また、前記傾斜レール２２は、断面略Ｌ字形を有し、転動板２２Ａとその内方に案内片２２Ｂを立設した形状であり、前記垂直基板２０の下縁を折曲して一体に形成したものを例示したが、レール部を別部材で形成し、前記垂直基板２０の下縁に沿って固着しても良い。また、前記当止部材２４は、前記傾斜レール２２の転動板２２Ａの前端部に衝撃吸収性を有する緩衝素材を下方からネジ止めして設けている。尚、前記当止部材２４は、前記転動板２２Ａ又は案内片２２Ｂ若しくは垂直基板２０のの一部から傾斜レール２２内へ切起した突片に緩衝素材を嵌着して設けても良い。
【００１７】
また、前記陳列扉７は、立起状態において板体２７の背面上部両側に前記傾斜レール２２，２２上を転動するローラ２８，２８をそれぞれ支持金具２９にて突設するとともに、前面下縁に書籍を受ける載支部３０を設けて構成している。尚、前記ローラ２８の代わりに合成樹脂製のスライダーを設けても良い。本実施形態では、板体２７はスチール製であり、同じくスチール製で別部材として形成した前記載支部３０を板体２７の下縁に固着しているが、該載支部３０は板体２７と一体形成しても良い。尚、前記載支部３０には、前記板体２７の前面から突出した断面略Ｌ字形の受片３０Ａを備え、該受片３０Ａから後方へ延びた固定部３０Ｂを板体２７の背面に固着している。
【００１８】
次に、前記棚板用ブラケット６Ｂは、図４に示すように、前記天板用ブラケット６Ａと殆ど同じ構造であり、同一構成には同一符号を付して、その説明は省略する。前記天板用ブラケット６Ａと棚板用ブラケット６Ｂとの相違点は、天板用ブラケット６Ａの後端上部に、前記天板取付板１７の形状に応じて逃がしのための切欠部３１を設けた点のみである。
【００１９】
そして、前記陳列扉７の板体２７であって、前記載支部３０より上位に、書籍を支持する支持部材３２を出没自在に設けている。具体的には、前記支持部材３２は、金属線材を折曲して形成したものであり、横棒３２Ａの両端に脚棒３２Ｂ，３２Ｂを直角且つ両側の脚棒３２Ｂ，３２Ｂが略平行になるように折曲形成するとともに、両脚棒３２Ｂの先端部に係止棒３２Ｃを直角且つ両側の係止棒３２Ｃ，３２Ｃが平行になるように折曲形成したものである。そして、前記陳列扉７の板体２７の両側部には、支持部材３２の係止棒３２Ｃ及び脚棒３２Ｂを挿通可能な支持孔３４，３４を形成している。つまり、支持部材３２の両係止棒３２Ｃ，３２Ｃを、板体２７の前面側からそれぞれ支持孔３４，３４に挿入し、脚棒３２Ｂまで挿入した状態で該係止棒３２Ｃを板体２７の背面に係止するのである。従って、支持部材３２は、脚棒３２Ｂが支持孔３３内で移動する距離だけ板体２７に対して出没するのである。尚、前記両脚棒３２Ｂ，３２Ｂが、外側へ開いた状態又は内側へ狭まった状態にすれば、該脚棒３２Ｂ，３２Ｂが支持孔３４，３４内に圧接されるので、支持部材３２ががたつかなくなってより好ましいのである。
【００２０】
そして、本発明の書架は、図５に示すように、前記陳列扉７の背面両側に設けたローラ２８，２８を両ブラケット６，６の傾斜レール２２，２２上を転動させて、前端の当止部材２４の後端に当止し、該陳列扉７の下部背面を下段の棚板５又は底板４の前面に当止して後傾状態に保持し、雑誌等の書籍を表表紙を前面に向けた姿勢で前記板体２７に凭れ掛かった状態で下端を前記載支部３０で支持して陳列あるいは展示することができる。尚、前記陳列扉７の背面であって前記棚板５又は底板４の前面に当接する位置に緩衝パット３３を取付けている。ここで、前記支持部材３２は、前方へ引き出して横棒３２Ａを書籍の前面側に配し、書籍の前倒れを防止している。また、前記陳列扉７の背後の収納空間には、補充用又はバックナンバーの書籍を収納することが可能である。
【００２１】
それから、図６に示すように、前記陳列扉７の下部を持ち上げ、ローラ２８，２８の軸を中心に略水平になるように回動させ、更に前記支持部材３２の横棒３２Ａを板体２７に当接して退避させた状態で、収納空間内へ押し込むと、前記ローラ２８，２８が両ブラケット６，６の傾斜レール２２，２２上を転動案内されて後方へ移動し、前記ストッパー片２３にローラ２８，２８が当止されまで押し込んだ後、あるいは押し込み動作中にも板体２７の下面を前記当止部材２４，２４に載支させる。こうして、前記陳列扉７を収納空間の上部に格納した際に、傾斜レール２２，２２の後部に位置したローラ２８，２８と当止部材２４，２４に前部を載置した陳列扉７が略水平状態で保持されて格納される。
【００２２】
この格納状態の前記陳列扉７を前方へ移動させるには、ローラ２８が傾斜レール２２を上るために必要な位置エネルギーの増加と、当止部材２４との接触摩擦抵抗力の和に打ち勝つ水平力を加えなければならないので、格納状態の前記陳列扉７を自然に前方へ移動させることは容易ではない。尚、前記陳列扉７を引き出すには、前端部を若干持ち上げて行えば、簡単に引き出すことができる。
【００２３】
最後に、図７に示した第２実施形態の書架は、前記天板用ブラケット６Ａの代わりに、天板取付板も兼ねた天板用ブラケット６Ｃを用いたものである。即ち、この天板用ブラケット６Ｃには、上縁に取付片３５を内側へ折曲形成するとともに、後端に前記支柱８の係止孔１１，１１に嵌合係止する上向きフック３６，３６を形成し、該上向きフック３６，３６を係止孔１１，１１に嵌合係止した状態で前記取付片３５を天板３の下面にネジ２６，２６にて取付け、更に垂直基板２０を側板２の内面側にネジ止めして固定するものである。その他の構成は、前記同様であるので、同一構成には同一符号を付して、その説明は省略する。
【００２４】
【発明の効果】
以上にしてなる請求項１に係る発明の書架によれば、両側板、天板及び底板とで形成された内部に単数の棚板を設け又は複数の棚板を上下多段に設けるとともに、棚板で区画された収納空間の前面に陳列扉を後傾状に配置可能且つ収納空間の上部に押し込み格納可能に設けてなる書架であって、前記棚板及び底板の上位の天板及び棚板の下面両側にブラケットを取付け、該ブラケットには垂直基板を有し、該垂直基板の下縁に沿った全長に後下がりの傾斜レールを折曲形成するとともに、該傾斜レールの前端部に当止部材を上設し、前記陳列扉の背面上部両側に前記傾斜レール上を転動するローラ又は摺動するスライダーを設けるとともに、前面下縁に書籍を受ける載支部を設けてなるので、陳列扉の押し込み格納状態が安定し、振動等による前方への飛び出しを防止することができるので、安全である。
【００２５】
請求項２によれば、格納に必要な空間が最小になる。
【００２６】
請求項３によれば、態様の変更に対する自由度が高く、汎用性に優れたものとなる。
【００２７】
請求項４によれば、陳列扉の押し込み格納時に支持部材が邪魔にならず、格納に必要な空間が最小になる。
【図面の簡単な説明】
【図１】本発明に係る書架の全体簡略斜視図である。
【図２】同じくフレームと側板との関係を示す部分分解斜視図である。
【図３】本発明の第１実施形態に係る書架の天板に対する陳列棚の支持構造を示す要部の分解斜視図である。
【図４】同じく棚板に対する陳列棚の支持構造を示す要部の分解斜視図である。
【図５】同じく書架の使用状態を示す部分断面図である。
【図６】同じく陳列扉の格納状態を示す部分断面図である。
【図７】本発明の第２実施形態に係る書架の陳列扉格納状態を示す部分断面図である。
【符号の説明】
１  フレーム            ２  側板
３  天板                ４  底板
５  棚板                ６  ブラケット
６Ａ  天板用ブラケット  ６Ｂ  棚板用ブラケット
６Ｃ  天板用ブラケット  ７  陳列扉
８  支柱                ９  ベース部材
１０  横桟              １１  係止孔
１２  連結板            １３  凹溝
１４  上部連結金具      １５  下部連結金具
１６  キャップ          １７  天板取付板
１８  下向きフック      １９  棚板取付板
２０  垂直基板          ２１  取付片
２２  傾斜レール        ２２Ａ  転動板
２２Ｂ  案内片          ２３  ストッパー片
２４  当止部材          ２５  取付孔
２６  ネジ              ２７  板体
２８  ローラ            ２９  支持金具
３０  載支部            ３０Ａ  受片
３０Ｂ  固定部          ３１  切欠部
３２  支持部材          ３２Ａ  横棒
３２Ｂ  脚棒            ３２Ｃ  係止棒
３３  緩衝パット        ３４  支持孔
３５  取付片            ３６  上向きフック
【図１】
0004167368.tif 000002
【図２】
0004167368.tif 000003
【図３】
0004167368.tif 000004
【図４】
0004167368.tif 000005
【図５】
0004167368.tif 000006
【図６】
0004167368.tif 000007
【図７】
0004167368.tif 000008